(57)【要約】      （修正有）【課題】耳に被せる集音カバーをバンドに取付け、耳に被せるだけで固定され、耳への脱着を容易化し、マイク、スピーカー、アンプ、電池等を用いず、耳カバーで耳への集音音圧を高めて、実用可能で安価な耳カバー型集音器を提供する。【解決手段】（１）耳カバー１ａ、１ｂをバンド２に固定し、脱着を容易にする。（２）スピーカ、マイク、アンプ等を廃止し、製品コストを下げる。（３）バンドと耳カバーの連結構造により耳カバーを耳周辺に密着させる。（４）不使用時は耳カバーを耳から外して、バンドを首に掛けられる構造にする。【選択図】図１
2012083374.tif 000002
【特許請求の範囲】
【請求項１】
左右対称形で内側と前方（図８の手前側）が開放された略箱形の耳カバーの外側と、Ｕ字形に成形されたバンドの内側を結合する連結手段を設け、前記耳カバーが、前記バンドに対して、回転不能で、上下方向に移動可能で、更に前記耳カバーの内側端面が耳の外周に略密着する調節機能を有することを特徴とする耳カバー型集音器。
【請求項２】
前記請求項１に記載の耳カバー型集音器において、略箱形の耳カバーは、耳の外耳道を円中心として耳の上下と後部を覆う半円形で、全体を略Ｕ字形とし、前方（図８の手前側）が開放されていることを特徴とする耳カバー型集音器。  
【請求項３】
前記請求項１及び２に記載の耳カバー型集音器において、前記連結手段は、前記耳カバー外側の略中心に角ボスを設け、前記バンド終端に設けた細長切欠き溝に係合し、前記角ボスの中心に通したビス孔に、耳カバーの内側から通したビスを前記バンドの外側でナットにより固定し、更に、バンドを任意に変形させることにより、前記耳カバーの内側端面が耳の外周に略密着させるようにしたことを特徴とする耳カバー型集音器。
【請求項４】
前記請求項１及び２に記載の耳カバー型集音器において、前記連結手段は、前記耳カバーの外側に角ボスと前記角ボスの両外側に半円ボスを設け、前記半円ボスは前記バンドの内側に当接させ、前記角ボスは前記バンド終端に設けた細長切欠き溝に係合し、前記角ボスの中心に通したビス孔に前記耳カバーの内側から通したビスに、バンドの外側からばねを通してナットで固定し、前記耳カバーの内側端面が耳の外周に略密着させるようにしたことを特徴とする耳カバー型集音器。
【請求項５】
前記請求項１及び２に記載の耳カバー型集音器において、前記連結手段は、前記耳カバーの外側に間隔を空けてピンガイドを２個設け、前記隙間にシャフトを前記バンド終端に設けた細長切欠き溝に通して挿入し、それぞれに設けたピン孔にピンを挿入して、上下方向に回転自由に結合し、前記シャフトの外側に設けたシャフトねじに、ばねを通してナットで固定し、前記耳カバーの内側端面が耳の外周に略密着させるようにしたことを特徴とする耳カバー型集音器。
【発明の詳細な説明】
【技術分野】
【０００１】
この発明は、老人の軽度の難聴を解消する為、電池による増幅器を用いずに、取扱が容易で、安価なことを特徴とする集音器に関するものである。  
【背景技術】
【０００２】
従来の集音器は、スピーカ部とアンプ部を一体化して耳穴へ直接挿入する「チップ型」か、アンプ部を別体にし、スピーカ部をコード付きにした「イヤホーン型」か、紙等の薄板を折畳んで耳に直接取り付ける「折り紙型」が公知である。
しかし、「チップ型」は全体が小さくて取扱が困難で、「イヤホーン型」は、コードとアンプ部が邪魔で、「折り紙型」は耳への固定保持が不安定、などの欠点が有った。
【先行技術文献】
【特許文献】
【０００３】
【特許文献１】登録実用新案第３１３４０４１号公報
【特許文献２】特開２０００−３５８３００号公報
【発明の概要】
【０００４】
本発明は上記事情に鑑みてなされたもので、老人は従来から、聞こえない時は、耳たぶの後ろに手を丸めて被せる事で、音圧を高めて要を成していた。
本案はその原理を応用したもので、具体的には、耳に被せる集音カバーをバンドに取付け、耳に被せるだけで固定され、耳への脱着を容易化し、マイク、スピカー、アンプ、電池等を用いず、耳カバーで耳への集音音圧を高めて、実用可能で安価な「耳カバー型集音器」を提供しようとするものである。
【発明が解決しようとする課題】
【０００５】
（１）耳カバーの耳への脱着を容易にする。
（２）スピーカ、マイク、アンプ等を不要にして製品コストを下げる。
（３）頭の大きさ変動に対応でき、耳カバーを耳周辺に密着させる。
（４）不要時は耳カバー部を耳から外し、保管を容易にする。
【課題を解決するための手段】
【０００６】
（１）耳カバーをバンドに固定し、脱着を容易にする。
（２）スピーカ、マイク、アンプ等を廃止し、製品コストを下げる。
（３）バンドと耳カバーの連結機構により耳カバーを耳周辺に密着させる。
（４）不使用時は耳カバーを耳から外して、バンドを首に掛けられる構造にする。
【発明の効果】
【０００７】
前記解決手段により、従来品に比べ、下記の点が大幅に改善される。
（１）耳カバーを保持バンドに固定して有り、耳への脱着が容易になる。
（２）スピーカ、マイク、アンプ等を廃止し、製品コストが大幅に下がる。
（３）バンドと耳カバーの連結機構により耳カバーを耳周辺に密着させる。
（４）不使用時は耳カバーを耳から外して、バンドを首に掛けられ取扱が便利。
【図面の簡単な説明】
【０００８】
【図１】本案第一実施例の全体斜視図
【図２】本案第一実施例の分解説明図
【図３】本案第一実施例の耳カバーとバンドの連結断面図
【図４】本案第二実施例の分解説明図
【図５】本案第二実施例の耳カバーとバンドの連結断面図
【図６】本案第三実施例の分解説明図
【図７】本案第三実施例の耳カバーとバンドの連結断面図
【図８】本案の使用状態図
【図９】本案の不使用状態図
【発明を実施するための形態】
【０００９】
以下に図１から図９を参照して本案の構造と使用方法を説明する。
図１から図３は本案第一実施例を示すもので、図１及び図２の１ａ耳カバー右、１ｂ耳カバー左は左右対称形で、手前側と内側を開放した略箱形をしており、前記手前側は前方からの集音窓口と成り、内側は耳周囲を覆う。前記耳カバーの材質は硬質の樹脂等で、板厚は厚めにして音の振動反射を良くすることが必要ある。前記略箱形の耳カバーは耳を覆う形状で、四角に限定されず、Ｕ字形でも良い。２バンドは逆Ｕ字形をしており、それぞれの終端には２ａ細長切欠き溝右、２ｂ細長切欠き溝左が設けて有り、前記耳カバーの外側にそれぞれ１ｃ角ボス右、１ｄ角ボス左が設けられ、前記細長切欠き溝と係合し、その中心に１ｅビス孔が貫通されている。それらを図３に示す様に組合せ、３六角ビスと４ナットにより締付け固定される。尚、前記角ボスの幅は、前記細長切欠き溝の幅より若干小さくして有り、前記ナットを緩めると前記耳カバーは前記細長切欠き溝内を回転不能で、上下方向のみに移動可能となる。前記バンドの材質は金属板をＵ字形に曲げた物であるが、使用する人の頭サイズ、耳カバーの耳への押え力を調整するため、材質は一定以下の強度とし、一定以上の曲げ応力を加えると初期形状を変形させることが可能な材質を選ぶ事が好ましい。金属板に代えて樹脂材料による成形でも良いが、変形させるには加熱する必要がある。
更に、細かい点を配慮するなら、前記耳カバーの内面側端面の周囲に発砲ウレタンフォーム等を接着して、肌触りを配慮する事が好ましい。
【００１０】
次に本案第二実施例を図４及び図５を用いて説明する。
図４は本案第二実施例の分解説明図で、耳カバーは第一案と異なり、略Ｕ字形をしており、耳の後部を半円形にして外来音波を半円形面で反射して音を外耳道に集める効果を持たせている。耳カバーとバンドの連結構造は、耳カバーの外側面の略中心に１ｃ角ボス右、１ｄ角ボス左を設け、２バンドの２ａ細長切欠き溝右、２ｂ細長切欠き溝左に挿入し、前記角ボスの高さは２バンド外側面より少し低く設定されている。
前記角ボスの水平方向の両側には２バンドの内側で前記細長切欠き溝の両外則と接する６半円ボスをそれぞれ設け、図５に示す様に前記耳カバーの内側から３六角ビスを１ｅビス孔に挿入し、バンドの外側から７座金と５ばねを通して４ナットで固定する。
機能を説明すると、前記耳カバーの角ボスはバンドの細長切欠き溝に係合し、６半円ボス頂点は５ばねの張力でバンドの内側に圧接されている。従って、耳カバーは、バンドに対して回転不能で、上下方向には前記圧接力に抗して移動可能で、上下への傾動は不安定となり、耳カバーを耳に取り付けると耳カバーの内面側が耳の周辺に接して安定する。耳カバーのバンドへの圧接力は４ナットの回転により５ばねの張力が可変である。
【００１１】
次に本案第三実施例を図６及び図７を用いて説明する。
図６は本案第三実施例の分解説明図で、耳カバーの形状は第二実施例と同じである。耳カバーとバンドの連結構造は、耳カバーの外側面の略中心に隙間を空けて水平方向に２個の１ｆピンガイドを並設し、８ピンを通すピン孔が設けてある。前記隙間にはバンドの細長切欠き溝幅より少し狭い幅の９シャフトが挿入され、それに設けたピン孔と前記１ｆピンガイドのピン孔を貫通する８ピンを挿入する。９シャフトの外側は細いピンと雄ねじが設けられ、図７の様にバンドの外側に５ばねを通して４ナットで固定する。
機能を説明すると、前記耳カバーの１ｆピンガイド先端の半円ボス頂点は５ばねの張力でバンドの内側に圧接されている。従って、耳カバーは、バンドに対して回転不能で、上下方向には前記圧接力に抗して移動可能で、上下への傾動は不安定となり、耳カバーを耳に取り付けると耳カバーの内面側が耳の周辺に接して安定する。耳カバーのバンドへの圧接力は４ナットの回転により５ばねの張力が可変である。
【００１２】
次に、図８及び図９を用いて使用方法を説明する。
図８は本案の使用状態を示したもので、前記耳カバーの側面開放部を図８の手前側にして装着する。頭の幅と前記バンドの幅が不適当な時は、第一実施例では、前記バンドを変形させて調節すればよい。前記バンドと耳カバー高さの設定位置が不適当なときは前記ナットを緩めて適切な位置に修正し前記ナットを締めればよい。
第二、第三実施例では、頭の幅と前記バンドの幅は、バンドの弾性変形で対応し、前記バンドと耳カバー高さ位置の設定は、ばねの張力に抗して耳カバーを任意位置に移動すればよい。耳カバーとバンドの平行度は、耳カバー外側から突出する６半円ボス又は１ｆピンガイドの先端の半円形部がバンド内側と接しているので、ばね張力に抗して小さな力で耳カバーの傾きを可変でき、耳カバーの傾きは耳周辺の傾きと自動的にフイットされる。
【００１３】
発明者の試作品によるテストでは、本品を装着すれば、手を丸めて耳の後ろに被せた時とほぼ同様の効果が有り、正常の聴力の人が聞こえる程度の小声で話している音声も十分に聞き取れるようになった。
次に、図９は本案の不使用状態を示したもので、耳カバー集音器が不必要に成った場合、そこらに置いて踏まれることを防いだり、再度必要な時取り出す手間を省く為、前記バンドを首に掛けておくと非常に便利です。これもバンドと耳カバーを一体化にした大きな効果として評価されるべきだと考えます。
【産業上の利用可能性】
【００１４】
前記解決手段により、従来品に比べ、下記の点が大幅に改善される。
（１）耳カバーを保持バンドに固定して有り、耳への脱着が容易になる。
（２）スピーカ、マイク、アンプ等を廃止し、製品コストが大幅に下がる。
（３）バンドと耳カバーの連結構造により耳カバーが耳周辺に密着される。
（４）不使用時は耳カバーを耳から外して、バンドを首に掛けられ取扱が便利。
【符号の説明】
【００１５】
１ａ耳カバー右、１ｂ耳カバー左、１ｃ角ボス右、１ｄ角ボス左、１ｅビス孔、１ｆピンガイド、２バンド、２ａ細長切欠き溝右、２ｂ細長切欠き溝左、３六角ビス、４ナット、Ｙ耳カバー移動方向、５ばね、６半円ボス、７座金、８ピン、９シャフト、９ａシャフトねじ
【図１】
2012083374.tif 000003
【図２】
2012083374.tif 000004
【図３】
2012083374.tif 000005
【図４】
2012083374.tif 000006
【図５】
2012083374.tif 000007
【図６】
2012083374.tif 000008
【図７】
2012083374.tif 000009
【図８】
2012083374.tif 000010
【図９】
2012083374.tif 000011
【手続補正書】
【提出日】平成23年5月22日(2011.5.22)
【手続補正１】
【補正対象書類名】特許請求の範囲
【補正対象項目名】請求項１
【補正方法】変更
【補正の内容】
【請求項１】
左右対称形で内側と前方（図８の手前側）が開放された略箱形で耳後方面が略直線の耳カバーで、Ｕ字形に成形されたバンドの内側面と前記耳カバーの外側面に設けた半円ボスの頂点を回転支点とする連結手段を設け、前記耳カバーが、前記バンドに対して、相対的に回転不能で、上下方向に移動可能で、上下に偏向可能な構造とし、前記耳カバーの内側端面が耳の外周面に略密着することを特徴とする耳カバー型集音器。
【手続補正２】
【補正対象書類名】特許請求の範囲
【補正対象項目名】請求項２
【補正方法】変更
【補正の内容】
【請求項２】
前記請求項１に記載の耳カバー型集音器において、前記連結手段は、前記耳カバーの外側に角ボスと前記角ボスの両外側に半円ボスを設け、前記半円ボスは前記バンドの内側に当接させ、前記角ボスは前記バンド終端に設けた細長切欠き溝に係合し、前記角ボスの中心に通したビス孔に前記耳カバーの内側から通したビスに、バンドの外側からばねを通してナットで固定し、前記耳カバーが、前記バンドに対して、相対的に回転不能で、上下方向に移動可能で、上下に偏向可能な構造とし、前記耳カバーの内側端面が耳の外周面に略密着することを特徴とする耳カバー型集音器。
【手続補正３】
【補正対象書類名】特許請求の範囲
【補正対象項目名】請求項３
【補正方法】変更
【補正の内容】
【請求項３】
前記請求項１及び２のいずれかに記載の耳カバー型集音器において、前記連結手段は、前記耳カバーの外側に間隔を空けてピンガイドを２個設け、前記隙間にシャフトを前記バンド終端に設けた細長切欠き溝に通して挿入し、それぞれに設けたピン孔にピンを挿入して、上下方向に回転自由に結合し、前記シャフトの外側に設けたシャフトねじに、ばねを通してナットで固定し、前記耳カバーが、前記バンドに対して、相対的に回転不能で、上下方向に移動可能で、上下に偏向可能な構造とし、前記耳カバーの内側端面が耳の外周面に略密着することを特徴とする耳カバー型集音器。
【手続補正書】
【提出日】平成23年9月10日(2011.9.10)
【手続補正１】
【補正対象書類名】特許請求の範囲
【補正対象項目名】請求項３
【補正方法】変更
【補正の内容】
【請求項３】
前記請求項１及び２のいずれか一項に記載の耳カバー型集音器において、前記連結手段は、前記耳カバーの外側に間隔を空けてピンガイドを２個設け、前記ピンガイドの隙間にシャフトの端部に設けた半円形四角部を挿入し、更に、前記半円形四角部を前記バンド終端に設けた細長切欠き溝に通して挿入し、前記ピンガイドとシャフトに設けたピン孔にピンを挿入して、上下方向に回転自由に結合し、前記シャフトの外側に設けたシャフトねじに、ばねを通してナットで固定し、前記耳カバーが、前記バンドに対して、相対的に回転不能で、上下方向に移動可能で、上下に偏向可能な構造とし、前記耳カバーの内側端面が耳の外周面に略密着することを特徴とする耳カバー型集音器。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
左右の耳カバーは対称形で、内側と前方が開放された略箱形で、Ｕ字形に成形されたバンドの内側面と前記耳カバーの外側面に設けた半円ボスの頂点を回転支点として上下方向に回転可能な連結手段を設け、前記耳カバーは、前記バンドに対して、上下方向のみに移動可能で、前記耳カバーの内側端面が耳の外周面に略密着するようにしたことを特徴とする耳カバー型集音器。
【請求項２】
前記請求項１に記載の耳カバー型集音器において、前記連結手段は、前記耳カバーの外側に角ボスと前記角ボスの両外側に前記半円ボスを設け、前記半円ボスは前記バンドの内側に当接させ、前記角ボスは前記バンド終端に設けた細長切欠き溝に係合し、前記角ボスの中心に通したビス孔へ前記耳カバーの内側から通したビスに、バンドの外側からばねを通してナットで組付けたことを特徴とする耳カバー型集音器。
【請求項３】
前記請求項１に記載の耳カバー型集音器において、前記連結手段は、前記耳カバーの外側に間隔を空けて前記半円ボスのピンガイドを２個設け、前記ピンガイドの隙間に、シャフト頭部に設けた半円形四角部を挿入し、前記ピンガイドと前記シャフトの半円形四角部の側面に設けたピン穴にピンを挿入して回転自由に連結し、前記ピンガイドの半円ボスを前記バンドの内側に当接させ、前記シャフトの半円形四角部を前記バンド終端に設けた細長切欠き溝に係合し、前記シャフトのねじ部に、バンドの外側からばねを通してナットで組付けたことを特徴とする耳カバー型集音器。